(57)【特許請求の範囲】
【請求項１】
エモティコン、テキストおよび符号のうちの少なくとも１以上が表示可能な第１の表示部と、傾きセンサー付き第１のセンサーと、無線通信のための第１の送受信部と、前記第１の送受信部を介してモード信号を受信し、自動モードを行うためのしきい値が設定され、前記エモティコン、前記テキストおよび前記符号が前記第１の表示部に選択的に表示されることを制御する第１の制御部とを有し、ユーザーが着用可能な商品に取り付けられる指示灯装置と、
前記無線通信のための第２の送受信部と、前記自動モードが選択可能なモード選択部と、前記モード選択部の前記自動モード選択に応じて提供されるモード信号を前記第２の送受信部を介して前記第１の送受信部に送信することを制御する第２の制御部とを有するリモコンと、
を備え、
前記自動モードに対応する前記モード選択信号が前記リモコンから前記指示灯装置へと送信されると、前記第１の制御部は、ユーザーの動きによる傾きを感知した前記第１のセンサーの感知信号を前記しきい値と比較して、その結果に対応する前記エモティコン、前記テキストおよび前記符号の選択的な表示を行うことを特徴とする携帯用の情報表示装置。
【請求項２】
前記第１の制御部は、前記第１のセンサーの感知信号に基づいて、運行中、停止、左側方向および右側方向のための前記エモティコン、前記テキストおよび前記符号の選択的な表示を行うことを特徴とする請求項１に記載の携帯用の情報表示装置。
【請求項３】
前記第１の制御部は、前記ユーザの重力方向に対する前方への傾き、左方への傾きまたは右方への傾きによる前記第１のセンサーの感知信号を前記しきい値と比較して、運行中、停止、左側方向および右側方向のための前記エモティコン、前記テキストおよび前記符号の選択的な表示を行うことを特徴とする請求項１に記載の携帯用の情報表示装置。
【請求項４】
エモティコン、テキストおよび符号のうちの少なくとも１以上が表示可能な第１の表示部と、傾きセンサー付き第１のセンサーと、感情モードに対応して前記エモティコン、前記テキストおよび前記符号が前記第１の表示部に選択的に表示されることを制御する第１の制御部とを有し、ユーザーが着用可能な商品に取り付けられる指示灯装置を備え、
前記第１の制御部は、前記第１のセンサーが感知したユーザーの動作に関する情報と、事前に設定されたユーザの動作に関する情報とを比較し、事前に設定されたユーザの動作に関する情報に対応する感情モードを選択し、前記感情モードに対応して、前記エモティコン、前記テキストおよび前記符号が前記第１の表示部に選択的に表示されるように制御することを特徴とする携帯用の情報表示装置。
【請求項５】
エモティコン、テキストおよび符号のうちの少なくとも１以上が表示可能な第１の表示部と、無線通信のための第１の送受信部と、前記第１の送受信部を介してモード信号を受信し、感知モードに対応して前記エモティコン、前記テキストおよび前記符号が前記第１の表示部に選択的に表示されることを制御する第１の制御部とを有し、ユーザーが着用可能な商品に取り付けられる指示灯装置と、
操作状態を表示する第２の表示部と、前記無線通信のための第２の送受信部と、前記感知モードが選択可能なモード選択部と、ユーザーの手の動きを感知する第２のセンサーと、前記モード選択部からの前記モード信号と前記第２のセンサーの感知信号に対応する制御信号とを前記第２の送受信部を介して前記第１の送受信部に送信し、前記感知信号に対応して前記第２の表示部の表示状態を制御する第２の制御部とを有するリモコンと、
を備え、
前記感知モードに対応する前記モード選択信号が前記リモコンから前記指示灯装置へと送信されると、前記第１の制御部は、前記ユーザーの手の動きに対応する前記エモティコン、前記テキストおよび前記符号の選択的な表示を行うことを特徴とする携帯用の情報表示装置。
【請求項６】
前記第２のセンサーは、手を止めた状態に維持する停止表示と、手を左側から右側へと動かす右側方向の矢印と、手を右側から左側へと動かす左側方向の矢印に相当する前記手の動作を感知してそれに相当する感知信号を提供し、前記第１および第２の表示部は、それに対応する選択的な表示のために制御されることを特徴とする請求項５に記載の携帯用の情報表示装置。
【請求項７】
エモティコン、テキストおよび符号のうちの少なくとも１以上が表示可能な第１の表示部と、無線通信のための第１の送受信部と、前記第１の送受信部を介してモード信号を受信し、手動モードに対応して前記エモティコン、前記テキストおよび前記符号が前記第１の表示部に選択的に表示されることを制御する第１の制御部とを有し、ユーザーが着用可能な商品に取り付けられる指示灯装置と、
操作状態を表示する第２の表示部と、前記無線通信のための第２の送受信部と、ユーザーの操作に応じて前記手動モードが選択可能なモード選択部と、前記ユーザーによって操作される方向指示部と、前記モード選択部からの前記モード信号と前記方向指示部の制御信号を前記第２の送受信部を介して前記第１の送受信部に送信し、前記第２の表示部の表示状態を制御する第２の制御部とを有するリモコンと、
を備え、
前記手動モードに対応する前記モード選択信号が前記リモコンから前記指示灯装置へと送信されると、前記第１の制御部は、前記方向指示部の前記制御信号に対応する前記エモティコン、前記テキストおよび前記符号の選択的な表示を行うことを特徴とする携帯用の情報表示装置。
【請求項８】
前記方向指示部は、停止、左側方向および右側方向に対応する制御信号を提供し、前記第１および第２の表示部は、それに対応する選択的な表示のために制御されることを特徴とする請求項７に記載の携帯用の情報表示装置。
【請求項９】
前記リモコンは非常灯ボタンをさらに備え、前記第１の表示部は、前記非常灯ボタンの操作に応じて非常信号を表示するように制御されることを特徴とする請求項７に記載の携帯用の情報表示装置。
【請求項１０】
エモティコン、テキストおよび符号のうちの少なくとも１以上が表示可能な第１の表示部と、無線通信のための第１の送受信部と、前記第１の送受信部を介してモード信号および制御信号を受信し、前記制御信号に対応して前記エモティコン、前記テキストおよび前記符号が前記第１の表示部に選択的に表示されることを制御する第１の制御部とを有し、ユーザーが着用可能な商品に取り付けられる指示灯装置と、
選択されたエモティコン、テキストまたは符号を表示する第２の表示部と、前記無線通信のための第２の送受信部と、ユーザーの操作に応じて感情モードのうちの手動モードが選択可能なモード選択部と、前記ユーザーによって、前記第１の表示部に表示する感情表現を選択する手段と、前記モード選択部からの前記モード信号と前記感情表現を選択する手段からの前記制御信号を前記第２の送受信部を介して前記第１の送受信部に送信し、前記第２の表示部の表示状態を制御する第２の制御部とを有するリモコンと、
を備え、
前記感情表現を選択する手段は、前記ユーザによって操作される方向指示部及び非常灯ボタンを含み、
前記感情モードのうちの手動モードに対応する前記モード選択信号が前記リモコンから前記指示灯装置へと送信されると、前記第１の制御部は、前記感情表現を選択する手段の前記制御信号に対応する前記エモティコン、前記テキストおよび前記符号の選択的な表示を行うことを特徴とする携帯用の情報表示装置。
【請求項１１】
前記指示灯装置は、前記感情表現を選択する手段の制御信号に基づいて、笑顔表示、片目を潰されたウィンク表示および両目を潰された表示を含むエモティコンと、ヘルプ表示を含むテキストを含む表示を行うことを特徴とする請求項１０に記載の携帯用の情報表示装置。
【発明の詳細な説明】
【技術分野】
【０００１】
本発明は携帯用の情報表示装置に係り、さらに詳しくは、自転車の運転中またはレジャースポーツ中に簡単に携帯若しくは着用してエモティコン（顔文字）、テキスト（文字）または符号を表示し得る携帯用の情報表示装置に関する。
【背景技術】
【０００２】
最近、環境にやさしく、しかも、経済性に富んでいることから、自転車が大衆的な交通手段として用いられている。
【０００３】
かような自転車は、交通手段だけではなく、遊戯器具やレジャースポーツとしても脚光を浴びており、高油価時代を迎えて、省エネーの目的でその需要がますます高まりつつある。
【０００４】
しかしながら、自転車は、車両が運行される道路の辺部や、自転車専用道路または歩行者のための歩行路に隣り合う道路など様々な環境下で運転する必要があるのが現状である。このため、自転車の運転は、夜間など視野が十分に確保されていない環境では、特に注意を払う必要がある。
【０００５】
自転車は、自動車とは異なり、運転者が隣り合う他の運転者または人間や車両に自分の状態や進行方向に関する情報を十分に伝えることができない。このため、後方から近づく他の自転車や車両が先行する自転車の移動方向や状態を予測することができない結果、事故が頻発する。
【０００６】
また、トレッキングや登山などのレポーツを楽しむ場合にも、知り合いに自分の状況や情報を知らせる必要があり、特に、緊急状況の場合、その必要性は極めて高い。
【０００７】
この理由から、自転車への搭乗など様々な状況に対応して自分の情報を知り合いや車両などの視覚的に提供することのできる装置が望まれているのが現状である。
【発明の概要】
【発明が解決しようとする課題】
【０００８】
本発明は上記の従来の問題点を解消するために案出されたものであり、その目的は、携帯した状態でエモティコン、テキストまたは自分の進行方向などをはじめとする様々な情報を表示し得る携帯用の情報表示装置を提供するところにある。
【課題を解決するための手段】
【０００９】
本発明に係る携帯用の情報表示装置は、エモティコン、テキストおよび符号のうちの少なくとも１以上が表示可能な第１の表示部と、傾きセンサー付き第１のセンサーと、無線通信のための第１の送受信部と、前記第１の送受信部を介してモード信号を受信し、自動モードを行うためのしきい値が設定され、前記エモティコン、前記テキストおよび前記符号が前記第１の表示部に選択的に表示されることを制御する第１の制御部とを有し、ユーザーが着用可能な商品に取り付けられる指示灯装置と、前記無線通信のための第２の送受信部と、前記自動モードが選択可能なモード選択部と、前記モード選択部の前記自動モード選択に応じて提供されるモード信号を前記第２の送受信部を介して前記第１の送受信部に送信することを制御する第２の制御部とを有するリモコンと、を備え、前記自動モードに対応する前記モード選択信号が前記リモコンから前記指示灯装置へと送信されると、前記第１の制御部は、ユーザーの動きによる傾きを感知した前記第１のセンサーの感知信号を前記しきい値と比較して、その結果に対応する前記エモティコン、前記テキストおよび前記符号の選択的な表示を行うことを特徴とする。
【００１０】
ここで、前記第１の制御部は、前記第１のセンサーの感知信号に基づいて、運行中、停止、左側方向および右側方向のための前記エモティコン、前記テキストおよび前記符号の選択的な表示を行うことが好ましい。
【００１１】
そして、前記第１の制御部は、前記第１のセンサーの前傾きの度合い、左傾きまたは右傾きによる感知信号を前記しきい値と比較して、運行中、停止、左側方向および右側方向のための前記エモティコン、前記テキストおよび前記符号の選択的な表示を行うことが好ましい。
【００１２】
また、本発明に係る携帯用の情報表示装置は、エモティコン、テキストおよび符号のうちの少なくとも１以上が表示可能な第１の表示部と、傾きセンサー付き第１のセンサーと、無線通信のための第１の送受信部と、前記第１の送受信部を介してモード信号を受信し、感情モードに対応して前記エモティコン、前記テキストおよび前記符号が前記第１の表示部に選択的に表示されることを制御する第１の制御部とを有し、ユーザーが着用可能な商品に取り付けられる指示灯装置を備え、前記第１の制御部は、前記モード信号によって設定される前記感情モードの状態で、ユーザーの動きによる前記第１のセンサーの感知信号に対応して、前記エモティコン、前記テキストおよび前記符号が前記第１の表示部に選択的に表示されるように制御することを特徴とする。
【００１３】
さらに、本発明に係る携帯用の情報表示装置は、エモティコン、テキストおよび符号のうちの少なくとも１以上が表示可能な第１の表示部と、無線通信のための第１の送受信部と、前記第１の送受信部を介してモード信号を受信し、感知モードに対応して前記エモティコン、前記テキストおよび前記符号が前記第１の表示部に選択的に表示されることを制御する第１の制御部とを有し、ユーザーが着用可能な商品に取り付けられる指示灯装置と、操作状態を表示する第２の表示部と、前記無線通信のための第２の送受信部と、前記感知モードが選択可能なモード選択部と、ユーザーの手の動きを感知する第２のセンサーと、前記モード選択部からの前記モード信号と前記第２のセンサーの感知信号に対応する制御信号とを前記第２の送受信部を介して前記第１の送受信部に送信し、前記感知信号に対応して前記第２の表示部の表示状態を制御する第２の制御部とを有するリモコンと、を備え、前記感知モードに対応する前記モード選択信号が前記リモコンから前記指示灯装置へと送信されると、前記第１の制御部は、前記ユーザーの手の動きに対応する前記エモティコン、前記テキストおよび前記符号の選択的な表示を行うことを特徴とする。
【００１４】
ここで、前記第２のセンサーは、手を止めた状態に維持する停止表示と、手を左側から右側へと動かす右側方向の矢印と、手を右側から左側へと動かす左側方向の矢印に相当する前記手の動作を感知してそれに相当する感知信号を提供し、前記第１および第２の表示部は、それに対応する選択的な表示のために制御されてもよい。
【００１５】
また、本発明に係る携帯用の情報表示装置は、エモティコン、テキストおよび符号のうちの少なくとも１以上が表示可能な第１の表示部と、無線通信のための第１の送受信部と、前記第１の送受信部を介してモード信号を受信し、手動モードに対応して前記エモティコン、前記テキストおよび前記符号が前記第１の表示部に選択的に表示されることを制御する第１の制御部とを有し、ユーザーが着用可能な商品に取り付けられる指示灯装置と、操作状態を表示する第２の表示部と、前記無線通信のための第２の送受信部と、ユーザーの操作に応じて前記手動モードが選択可能なモード選択部と、前記ユーザーによって操作される方向指示部と、前記モード選択部からの前記モード信号と前記方向指示部の制御信号を前記第２の送受信部を介して前記第１の送受信部に送信し、前記第２の表示部の表示状態を制御する第２の制御部とを有するリモコンと、を備え、前記手動モードに対応する前記モード選択信号が前記リモコンから前記指示灯装置へと送信されると、前記第１の制御部は、前記方向指示部の前記制御信号に対応する前記エモティコン、前記テキストおよび前記符号の選択的な表示を行うことを特徴とする。
【００１６】
そして、前記方向指示部は、停止、左側方向および右側方向に対応する制御信号を提供し、前記第１および第２の表示部は、それに対応する選択的な表示のために制御されてもよい。
【００１７】
また、前記リモコンは非常灯ボタンをさらに備え、前記第２の表示部は、前記非常灯ボタンの操作に応じて非常信号を表示するために制御されてもよい。
【００１８】
本発明に係る携帯用の情報表示装置は、エモティコン、テキストおよび符号のうちの少なくとも１以上が表示可能な第１の表示部と、無線通信のための第１の送受信部と、前記第１の送受信部を介してモード信号を受信し、感情モードに対応して前記エモティコン、前記テキストおよび前記符号が前記第１の表示部に選択的に表示されることを制御する第１の制御部とを有し、ユーザーが着用可能な商品に取り付けられる指示灯装置と、選択されたエモティコン、テキストまたは符号を表示する第２の表示部と、前記無線通信のための第２の送受信部と、ユーザーの操作に応じて前記感情モードが選択可能なモード選択部と、前記ユーザーによって感情を選択するボタンと、前記モード選択部からの 前記モード信号と前記ボタンの制御信号を前記第２の送受信部を介して前記第１の送受信部に送信し、前記第２の表示部の表示状態を制御する第２の制御部とを有するリモコンと、を備え、前記感情モードに対応する前記モード選択信号が前記リモコンから前記指示灯装置へと送信されると、前記第１の制御部は、前記ボタンの制御信号に対応する前記エモティコン、前記テキストおよび前記符号の選択的な表示を行うことを特徴とする。
【００１９】
ここで、前記指示灯装置は、前記ボタンの制御信号に基づいて、笑顔表示、片目を潰されたウィンク表示および両目を潰された表示を含むエモティコンと、ヘルプ表示を含むテキストを含む請求項１０に記載の表示を行ってもよい。
【００２０】
また、本発明に係る携帯用の情報表示装置は、エモティコン、テキストまたは符号を表示する第２の表示部と、無線通信のための第２の送受信部と、前記第２の送受信部を介して受信された相手方の携帯電話の番号が前記第２の表示部に表示されるように制御する第２の制御部とを有するリモコンと、前記第２の送受信部と無線で通信可能であり、電話をかけた相手方の携帯電話の番号を送信する携帯電話と、を備えることを特徴とする。
【００２１】
さらに、本発明に係る携帯用の情報表示装置は、押下によって電源印加を選択し、上下動することにより右回りおよび左回りを選択する電源ボタンと、右回りおよび左回りに対応して発光する方向標識部と、押下によって停止表示を選択する停止標識部と、前記電源ボタンおよび前記停止標識部の動作による信号を無線で送受信する送受信部と、前記電源ボタンの操作に応じて自動モードまたは手動モードのうちのいずれか一方に設定されて前記送受信部を制御する第１の処理部とを有するリモコンと、複数の発光ダイオードからなるドーナツ状の発光部と、前記発光部の中央領域に形成され、前記リモコンと無線で送受信して前記発光部の発光を制御する第２の処理部とを有する指示灯装置と、を備え、前記指示灯装置は、着用可能な携帯用のリュックサックおよびハンドのうちのいずれか一方に取り付けられることを特徴とする。
【００２２】
ここで、前記発光部は、円形、前記円形内に形成されている菱形、前記円形および菱形を横切るカラムを形成する複数の前記発光ダイオードを有し、前記複数の発光ダイオードは、運行、停止、左回りおよび右回りに対して個別的に発光してもよい。
【００２３】
そして、前記指示灯装置が手動モードに設定されている場合、前記電源ボタンは、右回りまたは左回りを示すために上方と下方に移動可能であり、前記第２の処理部は、前記リモコンから前記電源の移動状態に応じて前記発光部を発光させてもよい。
【００２４】
また、前記指示灯装置は、自動モードのための傾きセンサーをさらに備え、前記第２の処理部は、前記傾きセンサーの感知に応じて右回り、左回り、停止および運行を判断して前記発光部を発光させてもよい。
【００２５】
さらに、本発明に係る携帯用の情報表示装置は、エモティコン、テキストおよび符号を生成したり、外部からダウンロードして保存したり、自分に保存されている前記エモティコン、テキストおよび符号を無線で送信可能なアプリケーションがインストール可能であり、前記無線送信のための無線通信機能を有する携帯端末と、前記エモティコン、前記テキストおよび前記符号のうちの少なくとも１以上が表示可能な第１の表示部を有し、設定可能な複数のモードで前記携帯端末からの前記エモティコン、前記テキストおよび前記符号を表示するリモコンと、前記エモティコン、前記テキストおよび前記符号のうちの少なくとも１以上が表示可能な第２の表示部を有し、設定可能な複数のモードで前記携帯端末からの前記エモティコン、前記テキストおよび前記符号を表示し、ユーザーが着用可能な商品に取り付けられる指示灯装置と、を備えることを特徴とする。
【００２６】
ここで、前記指示灯装置は加速センサーを内蔵して、移動速度に対応して前記エモティコン、前記テキストおよび前記符号をもって前記移動速度に表示する情報を表示してもよい。
【発明の効果】
【００２７】
本発明によれば、方向指示灯を自転車運転またはレジャースポーツを行いながら容易に携帯することができ、無線通信が行えるリモコンまたは携帯端末を用いて自分の状態または移動情報を知り合いまたは車両に伝えることができてユーザーの安全を図ることができるという効果がある。
【００２８】
また、本発明によれば、エモティコンやテキストなどでの感情や動作変化などをはじめとする自分の状態をリモコンおよび方向指示灯で種々に表現することができて、自転車運転またはレジャースポーツの間に付加的な楽しみが得られるという効果がある。
【図面の簡単な説明】
【００２９】
【図１】本発明の第１の実施形態による携帯用の情報表示装置のブロック図。
【図２】本発明の第１の実施形態による携帯用の情報表示装置の使用状態図。
【図３】本発明の第１の実施形態による携帯用の情報表示装置の運転モードのうち手動モードの動作を示す作動図。
【図４】本発明の第１の実施形態による携帯用の情報表示装置の運転モードのうち手動モードの動作を示す作動図。
【図５】本発明の第１の実施形態による携帯用の情報表示装置の運転モードのうち手動モードの動作を示す作動図。
【図６】本発明の第１の実施形態による携帯用の情報表示装置の運転モードのうち手動モードの動作を示す作動図。
【図７】本発明の第１の実施形態による携帯用の情報表示装置の運転モードのうち手動モードの動作を示す作動図。
【図８】本発明の第１の実施形態による携帯用の情報表示装置の運転モードのうち自動モードの動作を示す作動図。
【図９】本発明の第１の実施形態による携帯用の情報表示装置の運転モードのうち自動モードの動作を示す作動図。
【図１０】本発明の第１の実施形態による携帯用の情報表示装置の運転モードのうち自動モードの動作を示す作動図。
【図１１】本発明の第１の実施形態による携帯用の情報表示装置の運転モードのうち自動モードの動作を示す作動図。
【図１２】本発明の実施形態による携帯用の情報表示装置の感情モードのうち自動モードの動作を示す作動図。
【図１３】本発明の実施形態による携帯用の情報表示装置の感情モードのうち手動モードの動作を示す作動図。
【図１４】本発明の実施形態による携帯用の情報表示装置の感情モードのうち手動モードの動作を示す作動図。
【図１５】本発明の実施形態による携帯用の情報表示装置の感情モードのうち手動モードの動作を示す作動図。
【図１６】本発明の実施形態による携帯用の情報表示装置の感情モードのうち手動モードの動作を示す作動図。
【図１７】本発明の実施形態による携帯用の情報表示装置の感情モードのうち手動モードの動作を示す作動図。
【図１８】本発明の第１の実施形態による携帯用の情報表示装置の感知モードの動作を示す作動図。
【図１９】本発明の第１の実施形態による携帯用の情報表示装置の感知モードの動作を示す作動図。
【図２０】本発明の第１の実施形態による携帯用の情報表示装置の感知モードの動作を示す作動図。
【図２１】本発明の第１の実施形態による携帯用の情報表示装置におけるリモコンの他の実施形態を示す例示図。
【図２２】本発明の第２の実施形態による携帯用の情報表示装置の例示図。
【図２３】本発明の第２の実施形態による携帯用の情報表示装置の断面図。
【図２４】本発明の第２の実施形態による携帯用の情報表示装置のブロック図。
【図２５】本発明の第２の実施形態による携帯用の情報表示装置における発光部の発光例を示す作動図。
【図２６】本発明の第２の実施形態による携帯用の情報表示装置における発光部の発光例を示す作動図。
【図２７】本発明の第２の実施形態による携帯用の情報表示装置における発光部の発光例を示す作動図。
【図２８】本発明の第２の実施形態による携帯用の情報表示装置における発光部の発光例を示す作動図。
【図２９】本発明の第２の実施形態による携帯用の情報表示装置における発光部の発光例を示す作動図。
【図３０】本発明の第２の実施形態による携帯用の情報表示装置の使用状態図。
【図３１】本発明の第２の実施形態による携帯用の情報表示装置の使用状態図。
【図３２】本発明の第２の実施形態による携帯用の情報表示装置における指示灯装置の他の実施形態を示す例示図および使用状態図。
【図３３】本発明の第２の実施形態による携帯用の情報表示装置における指示灯装置の他の実施形態を示す例示図および使用状態図。
【図３４】本発明の第３の実施形態による携帯用の情報表示装置の使用状態図。
【発明を実施するための形態】
【００３０】
以下、図１から図２１に基づき、本発明の第１の実施形態による携帯用の情報表示装置 を詳述する。
【００３１】
本発明において、「動き状態」とは、人間または物体の動作の状態を意味する。例えば、自転車に人間が乗る場合、自転車に乗った人間が自転車を運転する場合には、動き状態は「運転中」、自転車を止めた場合には「停止」、自転車のハンドルを左にして左側に運行する場合には、動いた状態は「左」、自転車のハンドルを右にして右側に運行する場合には、動いた状態は「右」とするものとする。
【００３２】
また、本発明に係る携帯用の情報表示装置は、リモートコントローラ（以下、「リモコン」と称する。）を備えていてもよく、リモコンを備えていなくてもよいということはいうまでもない。
【００３３】
図１を参照すれば、本発明に係る携帯用の情報表示装置は、指示灯装置１０と、リモコン２０と、を備え、指示灯装置１０は、第１の表示部１００と、第１の制御部１１０と、第１のセンサー１２０と、第１の送受信部１３０と、を備え、リモコン２０は、第２の表示部２００と、第２の制御部２１０と、モード選択部２２０と、第２の送受信部２３０と、を備える。また、本発明に係るリモコン２０は、第２のセンサー２４０をさらに備えていてもよい。さらに、本発明に係るリモコン２０は、方向指示部２５０ををさらに備えていてもよい。なお、本発明に係るリモコン２０は、非常灯ボタン２６０ををさらに備えていてもよい。
【００３４】
指示灯装置１０は、ユーザーが自転車運転やレジャースポーツの間に着用可能な商品、すなわち、カバンやバンドなどに取り付けられてもよい。
【００３５】
指示灯装置１０における第１の表示部１００は、複数の発光ダイオードがプリント回路基板に形成された形で実現されてもよく、複数の発光ダイオード、伝導性糸および繊維の結合のうちのいずれかによって実現されてもよい。ここで、第１の表示部１００は、人間や物体の運行中、動作、停止、方向の左右、感情などを表現するために様々なエモティコンを外部から視認可能に表示する。
【００３６】
第１のセンサー１２０は、人間や物体の動きを感知するものである。例えば、第１のセンサー１２０は、物体の動作を感知する動作センサー、物体の傾きを感知する傾きセンサーまたは物体の速度を感知する速度センサーなどのうちの少なくともいずれか１以上を備えていてもよい。
【００３７】
第１の送受信部１３０は無線送受信を行い、外部の他の端末（例えば、後述するリモコンまたは携帯電話）と通信し、通信プロトコルとしてジグビー（ＺｉｇＢｅｅ）またはブルートゥースなどが用いられる。
【００３８】
第１の制御部１１０は、第１の表示部１００と、第１の送受信部１３０と、第１のセンサー１２０と、を制御する。例えば、第１の制御部１１０は、第１のセンサー１２０において感知した情報（例えば、垂直面を基準として傾いた角度または水平面を基準として傾いた角度）を、ユーザーまたは設計者によって既に設定されたしきい値（例えば、傾斜角が３０度である）と比較して、第１の表示部１００において運行中、停止、左側方向、右側方向を表示するように制御する。
【００３９】
以下、添付図面に基づき、本発明に係る携帯用の情報表示装置を詳述する。
【００４０】
リモコン２０における第２の制御部２１０は、第２の表示部２００と、第２の送受信部２３０と、第２のセンサー２４０と、を制御する。
【００４１】
第２の表示部２００は、人間や物体の運行中、動作、停止、方向の左右、感情などを表現するために様々なエモティコンを外部から視認可能に表示するものである。例えば、第２の表示部２００としては、ＬＣＤパネル、ＬＥＤパネルなどが採用可能である。
【００４２】
第２の送受信部２３０は無線送受信を行い、第１の表示部１００において表示すべき信号および／またはデーターを第２の制御部２１０の制御によって第１の送受信部１３０に送信する。このために、第２の送受信部２３０は、ジグビー通信またはブルートゥースをプロトコルとして用いることができる。
【００４３】
また、第２の送受信部２３０は、外部端末と通信を行うことができる。例えば、携帯電話に電話がかかってきた場合、第２の送受信部２３０が携帯電話から無線通信で相手方の携帯電話の番号を受信することができ、第２の制御部２１０は、第２の送受信部２３０において受信された相手方の携帯電話の番号を第２の表示部２００に表示するように制御することができる。この具体例は、図８に示してある。
【００４４】
モード選択部２２０は、指示灯装置１０のモードを少なくとも１以上選択してモールス信号を提供することができ、このとき、指示灯装置１０のモードとしては、運転モード、感情モード、自動モード、手動モード、感知モードといったように様々なものが提供される。例えば、運転モードのうち自動モード、運転モードのうち手動モード、感情モードのうち自動モード、感情モードのうち手動モードまたは感知モードなど種々のモードが選択可能である。
【００４５】
モード選択部２２０において選択されたモードに関する情報、すなわち、モード信号は、第２の送受信部２３０を介して指示灯装置１０に送信可能であり、これにより、指示灯装置１０は、ユーザーのリモコン２０の操作に同期して動作可能である。
【００４６】
第２のセンサー２４０は近接センサーからなり、ユーザーの手動作を感知することができる。例えば、ユーザーが手をリモコン２０の上に載せたままで所定時間が経過すると、第２のセンサー２４０はこれを感知し、第２のセンサー２４０の感知信号に基づいて、第２の制御部２１０は、第２の表示部２００が停止を表示するように制御することができる。また、ユーザーが手を左側から右側へと動かすと、これを感知した第２のセンサー２４０の感知信号に基づいて、第２の制御部２１０は、第２の表示部２００が右側方向の矢印を表示するように制御することができる。さらに、ユーザーが手を右側から左側へと動かすと、これを感知した第２のセンサー２４０の感知信号に基づいて、第２の制御部２１０は、第２の表示部２００が右側方向の矢印を表示するように制御することができる。この具体例は、図１８から図２０に示してある。
【００４７】
そして、第２の制御部２１０は、第２の送受信部２３０を介して現在自分が表示する情報を指示灯装置１０に送信することができ、指示灯装置１０における第１の送信部１３０は、リモコン２０から送られてきた情報を受信して第１の制御部１１０に受け渡し、第１の制御部１１０は、第１の表示部１００にリモコン２０において表示される情報と同じ情報を表示するように制御することができる。
【００４８】
図２は、本発明の第１の実施形態による携帯用の情報表示装置の使用状態を示す図である。
【００４９】
図２を参照すれば、本発明に係る指示灯装置１０はリュックサックに取り付けられ、リモコン２０は自転車のハンドルに取り付けられてもよい。このとき、リモコン２０は取り外し可能であり、ユーザーが自転車から降りて歩く場合にリモコンを取り外して移動することが可能である。なお、指示灯装置１０は、リュックサックだけではなく、ユーザーが着用可能なバンドに形成されてもよく、このとき、バンドは、図３２および図３４に基づいて後述するクロスタイプのものであってもよい。
【００５０】
以下、添付図面に基づき、本発明において実施可能な各種のモードにおける動作を例にとって説明する。このとき、ユーザーが指示灯装置１０付きリュックサックを背負い、リモコン２０付き自転車に乗る場合を想定する。このとき、上述の図１、図２と結び付けて説明を行う。
【００５１】
図３から図７は、本発明の第１の実施形態による携帯用の情報表示装置の運転モードのうち手動モードの動作を説明するための図である。
【００５２】
図３を参照すれば、ユーザーがリモコン２０におけるパワーボタン（図示せず）を用いて電源を入れると、リモコン２０における電源表示部２００−３が点灯される。ユーザーは、モード選択部２２０を用いて、運転モードのうち手動モードを設定する。このとき、モード設定状態に関する情報がリモコン２０から指示灯装置１０へと送られる。
【００５３】
このため、ユーザーがリモコン２０で運転モードのうち手動モードに設定して自転車を運転すれば、第２の表示部２００における左側方向表示ランプ２００−１と右側方向表示ランプ２００−２は点灯されない。このとき、リュックサックに取り付けられた指示灯装置１０における第１の制御部１１０は、第１の表示部１００が円を表示するように制御する。すなわち、第１の制御部１１０は、第１の表示部１００が円を表示するように第１の表示部１００からなる発光ダイオードを制御する。
【００５４】
図４は、ユーザーが左側に移動しようとし、これを外部に知らせたい場合、本発明の第１の実施形態による携帯用の情報表示装置の運転モードのうち手動モードの動作を説明するための図である。
【００５５】
図４を参照すれば、ユーザーが、リモコン２０における方向指示部２５０を、図中の下方である（イ）の方向に押し下げると、左側方向表示ランプ２００−１が点灯される。このとき、方向指示部２５０の操作に応じた信号がリモコン２０から指示灯装置１０へと送られ、リュックサックに取り付けられた指示灯装置１０における第１の制御部１１０は、第１の表示部１００が左側方向の矢印を表示する。すなわち、第１の制御部１１０は、第１の表示部１００が左側方向の矢印を表示するように第１の表示部１００からなる発光ダイオードを制御する。なお、リモコン２０と指示灯装置１０の設定によっては、左側方向表示ランプ２００−１を点滅させたり、第１の表示部１００の左側方向の矢印を点滅されたりしてもよいなど種々に設定可能である。
【００５６】
図５は、ユーザーが右側に移動しようとし、これを外部に知らせたい場合、本発明の第１の実施形態による携帯用の情報表示装置の運転モードのうち手動モードの動作を説明するための図である。
【００５７】
図５を参照すれば、ユーザーが、リモコン２０における方向指示部２５０を、図中の上方である（ロ）の方向に押し上げると、右側方向表示ランプ２００−２が点灯される。このとき、方向指示部２５０の操作に応じた信号がリモコン２０から指示灯装置１０へと送られ、リュックサックに取り付けられた指示灯装置１０における第１の制御部１１０は、第１の表示部１００が右側方向の矢印を表示するように制御する。すなわち、第１の制御部１１０は、第１の表示部１００が右側方向の矢印を表示するように第１の表示部１００からなる発光ダイオードを制御する。
【００５８】
また、リモコン２０と方向指示灯装置１０の設定によっては、右側方向表示ランプ２００−１を点滅させたり、第１の表示部１００の右側方向の矢印を点滅させたりしてもよいなど種々に設定可能である。
【００５９】
図６は、ユーザーが停止しようとし、これを外部に知らせたい場合、本発明の第１の実施形態による携帯用の情報表示装置の運転モードのうち手動モードの動作を説明するための図である。
【００６０】
図６を参照すれば、ユーザーが、方向指示部２５０を、図中の左側から右側方向である（ハ）の方向に押し下げると、停止ＳＴＯＰ表示ランプ２００−４が点灯される。このとき、方向指示部２５０の操作に応じた信号がリモコン２０から指示灯装置１０へと送られ、リュックサックに取り付けられた指示灯装置１０における第１の制御部１１０は、第１の表示部１００が停止ＳＴＯＰを表示するように制御する。すなわち、第１の制御部１１０は、第１の表示部１００が停止ＳＴＯＰを表示するように第１の表示部１００からなる発光ダイオードを制御する。なお、リモコン２０と指示灯装置１０の設定によっては、停止ＳＴＯＰ表示ランプ２００−４を点滅させたり、第１の表示部１００の停止ＳＴＯＰ表示を点滅させたりしてもよいなど種々に設定可能である。
【００６１】
ここで、リモコン２０における第２の表示部２００の前面を押下した場合、停止ＳＴＯＰ表示ランプ２００−４を点灯させ、第１の表示部１００が停止ＳＴＯＰを表示するようにしてもよい。
【００６２】
図７は、ユーザーが非常状況を外部に知らせたい場合、本発明の第１の実施形態による携帯用の情報表示装置の運転モードのうち手動モードの動作を説明するための図である。
【００６３】
図７を参照すれば、ユーザーが非常灯ボタン２６０を押下すると、左側方向表示ランプ２００−１と右側方向表示ランプ２００−２が点灯される。このとき、非常灯ボタン２６０の操作に応じた信号がリモコン２０から指示灯装置１０へと送られ、リュックサックに取り付けられた指示灯装置１０における第１の制御部１１０は、第１の表示部１００が非常信号ＳＯＳを表示するように制御する。すなわち、第１の制御部１１０は、第１の表示部１００が非常信号ＳＯＳを表示するように第１の表示部１００からなる発光ダイオードを制御する。なお、リモコン２０と指示灯装置１０の設定によっては、左側方向表示ランプ２００−１と右側方向表示ランプ２００−２を点滅させたり、第１の表示部１００の非常信号ＳＯＳ表示を点滅させたりしてもよいなど種々に設定可能である。
【００６４】
図８から図１１は、本発明の第１の実施形態による携帯用の情報表示装置の運転モードのうち自動モードの動作を示すための図である。このとき、指示灯装置１０における第１のセンサー１２０は、傾きセンサーを例にとって説明し、傾きは、運転者の前傾き角度と同じ意味である。ここで、運行中、停止、左側方向表示、右側方向表示のためのしきい値として、１０°、２０°、３０°、４０°などが設定可能であり、傾きが１０°未満であれば停止、傾きが１０°から２０までの範囲であれば運行中、傾きが２０°から３０°までの範囲であれば左側方向表示、そして傾きが３０°から４０°までの範囲であれば右側方向表示が行われるように設定可能である。このように多数の場合に区分して感知できるように傾きのしきい値が種々にユーザーおよび／または設計者によって設定可能である。
【００６５】
図８を参照すれば、ユーザーが自転車に乗って前進するために身体を俯くと、第１のセンサー１２０は、ユーザーの前傾きを感知して第１の制御部１１０に知らせる。第１の制御部１１０は、ユーザーまたは設計者によって既に設定されたしきい値と、第１のセンサー１２０において感知した傾きとを比較して、傾きが運行中に相当するしきい値の範囲であれば、リモコン２０における第２の表示部２００と指示灯装置１０における第１の表示部１００は運行中に相当する表示を行う。例えば、後述する図２５に示すように表示可能であるため、ここでは、その詳細な説明は省く。
【００６６】
図９を参照すれば、ユーザーが自転車を止めて身体を伸ばすと、第１のセンサー１２０は、ユーザーの前傾きを感知して第１の制御部１１０に知らせる。第１の制御部１１０は、ユーザーまたは設計者によって既に設定されたしきい値と、第１のセンサー１２０において感知した傾きとを比較して、傾きが停止に相当するしきい値の範囲であれば、リモコン２０における第２の表示部２００と指示灯装置１０における第１の表示部１００は停止ＳＴＯＰに相当する表示を行う。例えば、後述する図２８に示すように表示可能であるため、ここでは、その詳細な説明は省く。
【００６７】
図１０を参照すれば、ユーザーが自転車に乗って左側に移動するためにハンドルを左側方向である（イ）の方向に動かすと、第１のセンサー１２０は、傾きを感知して第１の制御部１１０に知らせる。第１の制御部１１０はユーザーまたは設計者にによって既に設定されたしきい値と、第１のセンサー１２０において感知した傾きとを比較して、傾きが左回りに相当するしきい値の範囲であれば、リモコン２０における第２の表示部２００と指示灯装置１０における第１の表示部１００は、左側方向の矢印に相当する表示を行う。例えば、後述する図２６に示すように表示可能であるため、ここでは、その詳細な説明は省く。
【００６８】
図１１を参照すれば、ユーザーが自転車に乗って右側に移動するためにハンドルを右側方向である（ロ）の方向に動かすと、第１のセンサー１２０は、傾きを感知して第１の制御部１１０に知らせる。第１の制御部１１０は、ユーザーまたは設計者にによって既に設定されたしきい値と、第１のセンサー１２０において感知した傾きとを比較して、傾きが右回りに相当するしきい値の範囲であれば、リモコン２０における第２の表示部２００と指示灯装置１０における第１の表示部１００は、右側方向の矢印に相当する表示を行う。例えば、後述する図２７に示すように表示可能であるため、ここでは、その詳細な説明は省く。
【００６９】
図１２は、本発明の第１の実施形態による携帯用の情報表示装置の感情モードのうち自動モードの動作を説明するための図である。このとき、リモコン２０は動作をせず、指示灯装置１０のみ動作する場合を例にとる。
【００７０】
指示灯装置１０における第１の制御部１１０は、第１のセンサー１２０が感知した情報と既に設定された情報とを比較して、既に設定された情報に基づいて様々なエモティコンを第１の表示部１００において表示するように制御することができる。ここで、既に設定された情報は、任意の動作に対して各動作ごとに指示灯装置１０における第１の表示部１００が表示する様子を設定しておいたものであり、それぞれの動作によって表示されるエモティコンを異ならせたものである。このとき、動作は、動作センサー付き第１のセンサー１２０によって感知可能であり、第１のセンサー１２０は、感知された動作に対応する信号を第１の制御部１１０に提供する機能を有する。これにより、本発明に係る指示灯装置１０は、エンターテインメント効果を有することができる。
【００７１】
図１３から図１７は、本発明の実施形態による携帯用の情報表示装置の感情モードのうち手動モードの動作を説明するための図である。このとき、図１３から図１７のリモコン動作は、上述の図３から図７に示すように行われるので、その詳細な説明は省く。但し、第１の表示部１００における表示は、各種のエモティコンやテキストまたは符号などによって行うことが可能である。
【００７２】
例えば、第１の表示部１００は、種々のエモティコンの表示を行うことができ、運行中である場合、図１３に示すように、笑顔に相当するエモティコンを第１の表示部１００に表示することができ、左側方向に移動する場合、図１４に示すようにまるで左目を潰されたようなウィンクに相当するエモティコンを第１の表示部１００に表示することができ、右側方向に移動する場合、図１５に示すようにまるで右目を潰されたようなウィンクに相当するエモティコンを第１の表示部１００に表示することができ、停止の場合、図１６に示すようにまるで両目を潰されたようなエモティコンを第１の表示部１００に表示することができ、非常時の場合、図１７に示すようにヘルプを意味するテキスト「ＨＥＬＰ」を表示することができる。これらに加えて、種々のエモティコン、テキストまたは符号が設定可能である。
【００７３】
図１８から図２０は、本発明の第１の実施形態による携帯用の情報表示装置の感知モードの動作を説明するための図である。リモコン２０における第２のセンサー２４０は、動作センサーを備えることが好ましい。
【００７４】
図１８を参照すれば、ユーザーが自転車を左側方向に移動させることを希望し、且つ、指示灯装置１０に左側方向を表示させることを希望する場合、手をリモコン２０の上で左側から右側方向である（イ）の方向に動かす。すると、第２のセンサー２４０はこれを感知して第２の制御部２１０に知らせ、第２の制御部２１０は第２の表示部２００が左側方向の矢印を表示するように制御し、リモコン２０と指示灯装置１０との間の無線通信によって、第１の制御部１１０は第１の表示部１００が左側方向の矢印を表示するように制御する。
【００７５】
図１９を参照すれば、ユーザーが自転車を右側方向に移動させることを希望し、且つ、指示灯装置１０に右側方向を表示させることを希望する場合、手をリモコン２０の上で右側から左側方向である（ロ）の方向に動かす。すると、第２のセンサー２４０はこれを感知して第２の制御部２１０に知らせ、第２の制御部２１０は、第２の表示部２００が右側方向の矢印を表示するように制御し、リモコン２０と指示灯装置１０との間の無線通信によって、第１の制御部１１０は第１の表示部１００が右側方向の矢印を表示するように制御する。
【００７６】
図２０を参照すれば、ユーザーが自転車を止めることを希望し、且つ、指示灯装置１０に停止を表示させることを希望する場合、手をリモコン２０の上で設定された所定の時間に見合う分だけ止める。すると、第２のセンサー２４０はこれを感知して第２の制御部２１０に知らせ、第２の制御部２１０は、第２の表示部２００が停止ＳＴＯＰ表示するように制御し、リモコン２０と指示灯装置１０との間の無線通信によって、第１の制御部１１０は第１の表示部１００が停止ＳＴＯＰを表示するように制御する。
【００７７】
図２１は、本発明の第１の実施形態による携帯用の情報表示装置におけるリモコンの他の動作を説明するための例示図である。
【００７８】
本発明に係るリモコン２０が外部携帯電話とネットワークを介して接続されている場合に、携帯電話に電話がかかってきた場合、リモコン２０における第２の表示部２００は、電話がかかってきたという旨の表示ＣＡＬＬと、電話をかけた相手方の携帯電話の番号を表示することができる。このとき、外部携帯電話は呼び出し（Ｃａｌｌ）情報と自分の番号をジグビーやブルートゥースなどの無線プロトコルを用いてリモコン２０に送信するように構成することができ、これにより、リモコン２０は、外部携帯電話と無線でインタレースされて送られてきた情報、すなわち、電話をかけた相手方の携帯電話の番号を図２１のように表示することができる。
【００７９】
本発明の第１および第２の表示部１００、２００は、種々のエモティコン、テキストおよび符号を表示することができ、第１および第２の表示部１００、２００からなる発光ダイオードは、種々のエモティコン、テキストおよび符号を表示できる配列を有するように構成されることが好ましく、発光ダイオードアレイの発光状態の組み合わせによって種々の形状の表示が行えるということはいうまでもない。
【００８０】
以下、図２２から図３３に基づき、本発明の第２の実施形態による携帯用の情報表示装置を詳述する。
【００８１】
リモコン２０は、所定の形状を有し、インタフェース１５０、処理部１６０および送受信部１７０を備える。インタフェース１５０は、リモコン２０の表面と側面に形成される電源ボタン１５１と、方向標識部１５２および停止標識部１５３を備え、送受信部１７０はリモコン２０に内蔵されて指示灯装置１０と無線送受信を行い、処理部１６０はインタフェース１５０と送受信部１７０の動作を制御する。
【００８２】
電源ボタン１５１は側面に突き出ており、電源ボタン１５１を押下すると、リモコン２０の全体に電源が印加される。
【００８３】
電源が印加された状態で、電源ボタン１５１を上方に押し上げたり下方に押し下げるように構成でき、電源ボタン１５１を上方に押し上げると、指示灯装置１０は右回りを表示し、電源ボタン１５１を下方に押し下げると、指示灯装置１０は左回りを表示する。
【００８４】
また、電源ボタン１５１は、左または右に回すように構成でき、電源ボタン１５１を左に回すと、自動モードが設定され、電源ボタン１５１を右に回すと、手動モードが設定される。ここで、自動モードまたは手動モードは、電源ボタン１５１ではなく、他の構成要素に設定されるように構成できる。ここで、手動モードは、ユーザーによって移動を予告することをいい、自動モードは、指示灯装置１０内の傾きセンサー３３５の感知によって操作されることをいう。
【００８５】
方向標識部１５２は、電源ボタン１５１と隣り合ってリモコン２０の表面に形成されており、例えば、上向きの矢印は右回りを表示し、下向きの矢印は左回りを表示するように設定可能である。
【００８６】
このような方向標識部１５２は、手動モードにおいて、ユーザーが電源ボタン１５１を調節することによって発光動作され、自動モードにおいて、傾きセンサー３３５の感知に応じて自動で発光動作される。
【００８７】
停止標識部１５３は、リモコン２０の上部表面の中央領域に配設されてもよく、手動モードにおいてユーザーが押下すると発光動作され、自動モードにおいて傾きセンサー３３５の感知に応じて発光動作される。
【００８８】
一方、リモコン２０におけるインタフェース１５０は、表面に配設されているその他の危急ボタン（図示せず）をさらに備えていてもよく、これは、ユーザーが危急状況に陥った場合に、リモコン２０における危急ボタンを操作して現在の状況に関する情報を外部に表示できるように指示灯装置１０を発光させることができる。
【００８９】
一方、送受信部１７０はリモコン２０の内部に形成されており、指示灯装置１０と無線通信を行うモデムの役割を果たす。
【００９０】
処理部１６０はリモコン２０の内部に形成されており、インタフェース１５０から自動モードまたは手動モードについての信号を受信し、各モードに応じて送受信部１７０またはインタフェース１５０の動作を制御する。
【００９１】
指示灯装置１０は、図２２から図２４に示すように、発光部３５０と、電源部３１０および処理部３３０を備える。
【００９２】
このような指示灯装置１０は、発光部３５０がドーナツ状に形成可能である。
【００９３】
発光部３５０はドーナツ状を呈する複数の発光ダイオードを備えており、発光ダイオードは、図２５から図２９に示すように構成可能である。
【００９４】
すなわち、図２５から図２９を参照すれば、本発明の一実施の形態による携帯用の情報表示装置における発光部３５０は、円形状に配設されている複数の発光ダイオードと、円形内に菱形状に配設されている複数の発光ダイオードと、を備える。
【００９５】
このような発光ダイオードはそれぞれ別々に駆動されて特殊の形状を呈することができる。
【００９６】
すなわち、図２５に示すように、運行中を示すために外部の円形の発光ダイオードが発光可能である。
【００９７】
そして、図２６に示すように、左回りを示すために内部菱形の左側の発光ダイオードが発光可能であり、図２７に示すように、右回りを示すために内部菱形の右側の発光ダイオードが発光可能である。
【００９８】
また、図２８および図２９に示すように、円形と菱形を横切る中央のカラム発光ダイオードを含む場合、図２８に示すように停止を示すために外部の円形とカラムの発光ダイオードが発光可能であり、危急状況を示すために図２９のＳ字状、外部円形、さらに図２９のＳ字状が連続して発光してＳＯＳを表示することができる。
【００９９】
図２３に示すように、発光部３５０の中央領域に電源部３１０および処理部３３０が形成されており、処理部３３０付きチップが置かれているプリント回路基板（図示せず）の下部に電源部３１０を構成するバッテリーが形成されていてもよい。
【０１００】
一方、処理部３３０の上部に、外部の圧力変化に応じて信号を伝達する圧電素子３１５が形成されていてもよく、処理部３３０は、圧電素子３１５から電気信号を受信して指示灯装置１０の全体に電源を印加する。
【０１０１】
このようなプリント回路基板の上には、送受信部３２０を構成するチップが形成されていてもよい。
【０１０２】
また、処理部３３０は、電源部３１０の電源を各素子に伝え、送受信部３２０において受信される信号に基づいて発光部３５０を制御することができる。また、処理部３３０内には傾きセンサー３３５を配設してもよく、自動モードである場合に、傾きセンサー３３５の感知によって自動的に発光部３５０を運用することができる。
【０１０３】
このような指示灯装置１０は、図２２および図２３に示すように、着用可能な携帯用のリュックサック２に一体的に形成可能である。
【０１０４】
すなわち、図２２に示すように、通常の携帯用のリュックサック２の表面の裏側に指示灯装置１０が取り付けられてもよく、リュックサック２と指示灯装置１０との間の結合は、ベルクロテープや収納など公知の結合技術によって容易に行うことが可能である。
【０１０５】
このとき、携帯用のリュックサック２の前面には、ゴムなどの弾性物質から形成された電源スイッチ領域３が形成されており、電源スイッチ領域３は、圧電素子３１５が配置されている個所に位置合わせられて形成されることが好ましい。上記の構造によって、指示灯装置１０は、電源スイッチ領域３を外部から押下すると、圧電素子３１５に圧力が加えられるような構造を有する。
【０１０６】
これらのリモコン２０と指示灯装置１０は、図３０および図３１に示すように、自転車などを運行する際に、リモコン２０は自転車のハンドル領域に嵌合可能であり、ユーザーが図２２のリュックサック２を着用することにより指示灯装置１０を用いることができる。
【０１０７】
本発明に係る指示灯装置１０の動作を説明すれば、ユーザーがリモコン２０における電源ボタン１５１およびリュックサック２における電源スイッチ領域３を押下すると、リモコン２０および指示灯装置１０に電源が印加される。
【０１０８】
ユーザーがリモコン２０における電源ボタン１５１を左または右に回して手動モードに設定した場合、ユーザーは電源ボタン１５１を上方または下方に移動させて右回りまたは左回りを表示することができ、停止標識部１５３を押下することにより停止を表示することができる。
【０１０９】
ユーザーの電源ボタン１５１の操作に応じて、リモコン２０における処理部１６０は制御信号を発生し、送受信部１７０を介して指示灯装置１０に送信する。
【０１１０】
指示灯装置１０における処理部３３０は、リモコン２０の制御信号を受信して、図２５から図２９のように表示されるように発光部３５０を発光させる。
【０１１１】
このとき、処理部３３０は、制御信号が受信されないときには、運行表示を発光するように制御することができる。
【０１１２】
また、ユーザーがリモコン２０の危急ボタンを押下する場合、これに対する制御信号を受信して発光部３５０にＳＯＳを表示するように制御することができる。
【０１１３】
一方、ユーザーが自動モードを設定する場合、指示灯装置１０における処理部３３０は傾きセンサー３３５を起動させる。
【０１１４】
処理部３３０は、傾きセンサー３３５の感知信号の判断結果に基づいて、発光部３５０の発光を制御し、リモコン２０における判断結果に基づく信号を送信しつつ発光部３５０の発光を制御する。
【０１１５】
一方、傾きセンサー３３５は、上述した実施形態とは異なり、ユーザーの身体の正面に対する左傾きまたは右傾きの度合いを測定することができ、処理部３３０は、傾きセンサー３３５の測定値に基づいて、左回りまたは右回りの有無を判断して、これに基づいて、発光部３５０の発光を制御することができる。なお、リモコン２０における判断結果に基づく信号が送信されることにより、方向標識部１５２の発光が制御可能である。
【０１１６】
このようにユーザーの意思によって自動モードまたは手動モードで動作可能であり、リモコン２０と指示灯装置１０とが無線通信を行うことから、制御が簡易である。
【０１１７】
また、携帯用のリュックサック２のようにユーザーの背に取り付けて使用できるように指示灯装置１０を構成することにより、ユーザーの後方にユーザーの運行路線を予告することができる結果、事故を防止することができる。
【０１１８】
図３２および図３３は、本発明の他の実施形態による携帯用の情報表示装置における指示灯装置１０を示す図である。
【０１１９】
本発明の他の実施形態による携帯用の情報表示装置における指示灯装置１０は、図２２とは異なり、携帯用のリュックサック２ではなく、バンド４００状に形成される。
【０１２０】
すなわち、内部の構成は図２２と同様に発光部３５０を備え、バンド４００の中央領域に指示灯装置１０における圧電素子３１５と位置合わせられる電源スイッチ領域４１０が形成されており、発光部３５０を中心としてＸ字状に伸びている４本の枝部を有する。
【０１２１】
４本の枝部は、上側と下側の枝部の先端部４３０が嵌合されて、図３３に示すように、ユーザーの背にバンド４００状に着用され、リモコン２０と連動する構成および自動／手動モードの動作は、上述した通りである。
【０１２２】
また、本発明の第３の実施形態による携帯用の情報表示装置を図３４に基づいて詳述する。
【０１２３】
図３４を参照すれば、本発明の第３の実施形態による携帯用の情報表示装置は、エモティコン、テキスト及び符号を管理できるアプリケーションがインストール可能であり、無線通信機能を有する携帯端末５００を備え、携帯端末５００と通信可能なリモコン５１０および指示灯装置５２０を備える。
【０１２４】
携帯端末５００にインストールされるアプリケーションは、自体的にエモティコン、テキスト及び符号を生成して保存する機能と、無線通信を介して外部からエモティコン、テキスト及び符号をダウンロードして保存する機能と、自分に保存されているエモティコン、テキスト及び符号を無線通信を介して送信する機能とを有する。
【０１２５】
上述した携帯端末５００は、アプリケーションがインストール可能であり、データーの無線通信が行える携帯可能な端末を総称し、例えば、携帯電話や知能型端末またはスマートフォンを網羅する。
【０１２６】
一方、リモコン５１０と指示灯装置５２０としては、第１の実施形態または第２の実施形態において開示されているものが使用可能である。
【０１２７】
以上のような構成を有する第３の実施形態において、ユーザーは、携帯端末５００を用いて自分が用いるエモティコン、テキストまたは符号を生成したりダウンロードして保存し、保存されたもののうちのいずれか一つを選択してリモコン５１０と指示灯装置５２０に無線で送信することができる。リモコン５１０および指示灯装置５２０は、携帯端末５００において受信されたエモティコン、テキストまたは符号を表示する。もし、リモコン５１０宛てに送信された場合、リモコン５１０は、エモティコン、テキストまたは符号を指示灯装置５２０に再送信してもよい。
【０１２８】
そして、指示灯装置５２０は、上述した第１の実施形態または第２の実施形態において説明されたように、センサーを用いた自動モードまたはリモコン５１０の操作による手動モードが選択されて、携帯端末５００から送られてきたエモティコン、テキストまたは符号を表示することができる。
【０１２９】
また、指示灯装置５２０は、ユーザーが着用可能な商品（例えば、リュックサック）に着脱自在に形成可能であり、フレキシブルプリント回路基板発光ダイオードディスプレイ（Ｆｌｅｘｉｂｌｅ ＰＣＢ ＬＥＤ）から構成されてもよい。
【０１３０】
そして、携帯端末５００とリモコン５１０または指示灯装置５２０との間の無線通信は、ジグビーやブルートゥースをはじめとする種々の無線通信プロトコルを用いて実現可能である。なお、リモコン５１０と指示灯装置５２０との間のインタフェースも、種々の無線通信プロトコルを用いて実現可能である。
【０１３１】
以上述べたように、第３の実施形態による携帯用の情報表示装置が形成されることにより、ユーザーは、モバイルネットワーク上において携帯端末５００に収集したり、収集されたものを編集したり、自体的に生成したエモティコン、テキストまたは符号を自分の指示灯装置５２０を介して表示することができて、その使用感を向上させることができるという効果がある。
【０１３２】
また、本発明に係る実施形態は、自転車に対応する構成を例示しているが、本発明はこれに限定されるものではなく、レポーツ用のリュックサックやバンドなどに指示灯装置５２０が形成され、手首に着用可能にリモコン５１０が構成されることにより、種々の用途に利用可能である。これに関する具体的な図示は、上述の実施形態から容易に導き出し得るということはいうまでもない。
【図２】
0005544631.tif 000002
【図３】
0005544631.tif 000003
【図７】
0005544631.tif 000004
【図１２】
0005544631.tif 000005
【図１３】
0005544631.tif 000006
【図１６】
0005544631.tif 000007
【図１７】
0005544631.tif 000008
【図２０】
0005544631.tif 000009
【図２１】
0005544631.tif 000010
【図２２】
0005544631.tif 000011
【図２３】
0005544631.tif 000012
【図２５】
0005544631.tif 000013
【図２６】
0005544631.tif 000014
【図２７】
0005544631.tif 000015
【図２８】
0005544631.tif 000016
【図２９】
0005544631.tif 000017
【図３０】
0005544631.tif 000018
【図３１】
0005544631.tif 000019
【図３２】
0005544631.tif 000020
【図３３】
0005544631.tif 000021
【図３４】
0005544631.tif 000022
【図１】
0005544631.tif 000023
【図４】
0005544631.tif 000024
【図５】
0005544631.tif 000025
【図６】
0005544631.tif 000026
【図８】
0005544631.tif 000027
【図９】
0005544631.tif 000028
【図１０】
0005544631.tif 000029
【図１１】
0005544631.tif 000030
【図１４】
0005544631.tif 000031
【図１５】
0005544631.tif 000032
【図１８】
0005544631.tif 000033
【図１９】
0005544631.tif 000034
【図２４】
0005544631.tif 000035